(57)【要約】      （修正有）【課題】手術器具の補助具として汎用性に富んだ手術器具用マルチホルダーを提供する。【解決手段】手術器具用マルチホルダー１は、作用部位１１と長手状の操作部位１２とを含む手術器具１０を保持するものであり、手で把持される長手状の把持部２と、固定手段３、２ｃとを備え、該把持部２は、開口部２ａと、該開口部から内部に延びて、操作部位１２を挿入し得るサイズを有する、長手状の内部スペース２ｂとを含む。固定手段３、２ｃは、手術器具の操作部位１２を把持部の開口部２ａから内部スペース内に挿入した状態で、該操作部位を固定する。異なる挿入位置で該操作部位１２を固定することにより把持部２から延び出た手術器具１０の長さを可変調整し得る。同じマルチホルダー１を、異なる種別の手術器具（メス、探索子、鈍針、剥離子など）に適用することができる。【選択図】図２
0003229684.tif 000002
【実用新案登録請求の範囲】
【請求項１】
作用部位と長手状の操作部位とを含む手術器具を保持するための手術器具用マルチホルダーであり、
施術者の手で把持される長手状の把持部であって、開口部と、該開口部から内部に延びた長手状の内部スペースとを含むものと、
前記把持部において前記開口部寄りの箇所に設けられた固定手段と
を備え、前記把持部の前記内部スペースは、前記手術器具の前記操作部位を挿入し得るサイズを有し、
前記固定手段は、前記手術器具の前記操作部位を前記把持部の前記開口部から前記内部スペース内に挿入した状態で、該操作部位を前記把持部に固定するように構成されており、かつ、異なる挿入位置で該操作部位を固定することにより前記把持部から延び出た前記手術器具の長さを調整し得るように構成されている、ことを特徴とする手術器具用マルチホルダー。
【請求項２】
前記固定手段は、連続的に又は段階的に異なる挿入位置で該操作部位を固定することにより前記把持部から延び出た前記手術器具の長さを調整し得るように構成されている、請求項１の手術器具用マルチホルダー。
【請求項３】
前記固定手段は、ネジ式の締め付け手段からなり、該ネジ式の締め付け手段は、前記把持部の前記内部スペース内に挿入された前記操作部位をその周囲から締め付けて固定するように構成されている、請求項１又は２の手術器具用マルチホルダー。
【請求項４】
請求項１乃至３のいずれかに記載された前記手術器具用マルチホルダーと、
作用部位と該作用部位から延びた略直線状の操作部位とを含む手術器具と
の組合せからなる着脱式手術用器具。
【請求項５】
前記手術器具の前記作用部位と前記操作部位は別体の部品からなり、前記操作部位に前記作用部位を着脱可能に構成してなる、請求項４の着脱式手術用器具。
【請求項６】
前記手術器具の前記作用部位と前記操作部位は一体不可分に構成されている、請求項４の着脱式手術用器具。
【請求項７】
前記手術器具の前記操作部位の側面には、長手方向に目盛りが設けられている、請求項４乃至６のいずれかの着脱式手術用器具。
【請求項８】
前記手術器具は、少なくともメス、探索子、鈍針、剥離子のうちのいずれか１つである、請求項４乃至７のいずれかの着脱式手術用器具。
【請求項９】
前記固定手段は、連続的に又は段階的に異なる挿入位置で該操作部位を固定することにより前記把持部から延び出た前記手術器具の長さを調整し得るように構成されている、請求項４乃至８のいずれかの着脱式手術用器具。
【考案の詳細な説明】
【技術分野】
【０００１】
本考案は、メスやプローブ（探索子）等の各種の外科手術器具に適合し得る手術器具用マルチホルダーに関し、特に、該ホルダに装着される手術器具の長さを可変調整し得るようにしたものに関し、さらには、そのようなマルチホルダーと手術器具との組合せからなる着脱式手術用器具に関する。
【背景技術】
【０００２】
外科手術時に医師の手で把持される手術器具には、メス、探索子（プローブ）、鈍針、剥離子など各種のものがある（例えば下記特許文献１〜４）。一般に、この種の手術器具は、作用部位と操作部位とで構成され、作用部位は人体に作用する部位であり、その用途に応じてメス刃、探索子の先端部位、鈍い針状の先端部位、剥離子の先端部位などからなっている。操作部位は、医師の手で把持されて動かされ、先端の作用部位の動きを操作するために寄与する。また、同一種類の手術器具であっても、施術する人体部位に応じて異なる長さのものをいくつか用意しなければならない。このように、従来の手術器具は、種類別に異なる長さのものをそれぞれ用意する必要があった。また、従来は、異なる種別の手術器具に適用し得る汎用の補助具は存在していなかった。なお、１つの装置に２つの異なる機能をもたせた多機能手術用器具が考案されているが（例えば下記特許文献５）、単に２機能の器具を併設しているにすぎず、汎用性に乏しいものであった。
【０００３】
なお、長さ調整を可能にした手術器具も知られてはいるが、公知の長さ調整構造にあっては、長さ調整されるロッド状部品の近位端（なお、操作部位寄りを近位端、作用部位寄りを遠位端ということにする）が、医師の手で把持される持ち手の上方において突出するような構造であり、かつ、長さ調整されるロッド状部品の伸縮方向が、該持ち手の軸芯方向とは異なる方向に延びるような構造であった。そのため、長さ調整の状況によっては（例えば遠端までの長さを短くした場合）、伸縮調整されたロッド状部品の近位端が持ち手の上方において飛び出たような状態となり、施術者の邪魔となる場合があり得る。施術する人体部位によっては、伸縮調整されたロッド状部品の近位端が持ち手の上方において飛び出たような状態では、まったく実用に適さない場合がある。また、そのような長さ調整構造では、ロッド状部品の遠位端に位置する作用部位（例えばメス刃）が延びる方向と持ち手の軸芯方向とが異なることにより、持ち手の軸線と作用部位（例えばメス刃）の延長線とが比較的大きな角度をなす状態となる。そのため、施術する人体部位（例えば脳外科手術）によっては、そのような長さ調整構造を持つ手術器具は使用不可能である。
【先行技術文献】
【特許文献】
【０００４】
【特許文献１】実開平５−６３５１３
【特許文献２】特開平７−６７８８０
【特許文献３】特開平１１−１７８８３０
【特許文献４】実用新案登録３１１３０８９
【特許文献５】特開２０００−１８５０５３
【考案の概要】
【考案が解決しようとする課題】
【０００５】
本考案は、手術器具の補助具として汎用性に富んだ手術器具用マルチホルダーを提供しようとするものであり、さらには、そのようなマルチホルダーと手術器具との組合せからなる着脱式手術用器具を提供しようとするものである。
【課題を解決するための手段】
【０００６】
本考案に係る手術器具用マルチホルダーは、作用部位と長手状の操作部位とを含む手術器具を取り付けるための手術器具用マルチホルダーであり、施術者の手で把持される長手状の把持部であって、開口部と、該開口部から内部に延びた長手状の内部スペースとを含むものと、前記把持部において前記開口部寄りの箇所に設けられた固定手段とを備え、前記把持部の前記内部スペースは、前記手術器具の前記操作部位を挿入し得るサイズを有し、前記固定手段は、前記手術器具の前記操作部位を前記把持部の前記開口部から前記内部スペース内に挿入した状態で、該操作部位を前記把持部に固定するように構成されており、かつ、異なる挿入位置で該操作部位を固定することにより前記把持部から延び出た前記手術器具の長さを調整し得るように構成されている。
【０００７】
本考案によれば、適用する手術器具の操作部位を、長手状の把持部の内部スペース内に挿入して収納し、該把持部から延び出た該手術器具の操作部位の長さを任意に調整した状態で固定手段によって該操作部位を該把持部に固定するので、手術器具の長さ（詳しくは施術者の手で把持される把持部から手術器具の作用部位までの長さ）を任意に調整することができる。したがって、本考案に係るマルチホルダーを手術器具に適用すれば、施術する人体部位に応じて異なる長さの手術器具をいくつも用意する必要がなく、汎用性に富んだ使い勝手のよいものとなり、かつ、経済的である。さらに、本考案によれば、同じマルチホルダーを、異なる種別の手術器具（メス、探索子、鈍針、剥離子など）にも適用することができるので、その意味でも、汎用性に富んだ使い勝手のよいものとなり、かつ、経済的である。
【０００８】
さらに、本考案によれば、長手状の手術器具の操作部位が、長手状の把持部の内部スペース内に挿入・収納される構造であるから、伸縮調整された操作部位の近位端が把持部の上方において飛び出るような状態とはならず、施術者の邪魔とならない。また、手術器具の操作部位が伸縮する方向と把持部の軸芯方向とが同一であるから、手術器具の作用部位（例えばメス刃）の延長線と把持部の軸線とが一致する若しくは大きな角度をなさないような構造となる。そのような構造にあっては、把持部を把持した手の略直線的延長上に手術器具の作用部位（例えばメス刃）が位置することになるので、把持部を把持した手の動きに即応させて作用部位（例えばメス刃）を動かすことができる。したがって、本考案に係る手術器具用マルチホルダーは、脳外科手術等精密な施術を要する人体部位のための手術器具に適用するのに適しており、従来はその種の手術器具において不可能であった長さ調整機能を、本考案によって実現することができる。
【０００９】
さらに、本考案に係る着脱式手術用器具は、前記手術器具用マルチホルダーと前記手術器具との組合せとして具現化される。
【図面の簡単な説明】
【００１０】
【図１】本考案に係る手術器具用マルチホルダーの一実施例を示す斜視図
【図２】図１に示された手術器具用マルチホルダーの把持部の縦断面図を示すと共に、本考案に係る着脱式手術用器具の一実施例を分解して示す側面図。
【図３】手術器具の操作部位に着脱式に取付けられる異なる種別の着脱式の作用部位のいくつかの例を概略的に示す側面図。
【図４】図２に示された手術器具の操作部位の変形例を示す側面図であって、該操作部位の遠位端側の部分をクランク状に屈曲させた例を示す図。
【図５】図２に示された手術器具の作用部位の変形例を示す側面図であって、該作用部位の近位端側の部分をクランク状に屈曲させた例を示す図。
【図６】本考案が適用可能な手術器具として、作用部位と操作部位が一体不可分に構成されている例を示す側面図。
【考案を実施するための形態】
【００１１】
図１において、本考案の一実施例に係る手術器具用マルチホルダー１は、施術者の手で把持されるのに適した長手状の把持部２を有している。把持部２には、その遠位端に設けられた開口部２ａと、該開口部２ａからその内部に延びた長手状の内部スペース２ｂとが形成されている。図２に把持部２の内部構造を縦断面図にて示すように、把持部２の内部に形成された内部スペース２ｂは、把持部２の長さのかなりの範囲（略全長に近い範囲）にわたる長さを有する。これにより、後述するように、該マルチホルダー１に取り付けられる手術器具１０の操作部位１２の十分な長さ調整が可能とされる。また、把持部２の内部スペース２ｂは、後述するように、手術器具１０の操作部位１２を挿入し得るサイズを有している。把持部２は金属等の硬質な材質からなり、一例として、金属材質からなる棒状体を芯に沿って穿削加工することにより内部スペース２ｂを形成し得る。また、一例として、把持部２の長手方向の全長は１０ｃｍ前後、その外径は５乃至１０ｍｍ程度である。
【００１２】
把持部２の遠位端は開口部２ａとなっており、該把持部２において開口部２ａ寄りの箇所に雄ねじ部２ｃが形成されている。雄ねじ部２ｃには、開口部２ａから軸方向に延びたスリット２ｄが複数個設けられている。例えば、スリット２ｄは円周方向に略等間隔（９０度間隔）で４個形成されている。ナット３は、略円筒形であり、軸方向に貫通した（開放された）内部空間を有し、その内壁に前記雄ねじ部２ｃに螺合可能な雌ねじ部３ａが形成されている。図２において、ナット３は側面図として示されており、その内壁に設けられた雌ねじ部３ａの存在が点線で略示されている。
【００１３】
ナット３を把持部２の開口部２ａにセットして、締め付け方向に回すと、ナット３の雌ねじ部３ａと把持部２の雄ねじ部２ｃが螺合し、ナット３が把持部２に係合して、螺合が深まる方向に直進する。雄ねじ部２ｃの部分には複数のスリット２ｄが設けられているので、螺合が深まる方向にナット３が直進するにつれて、雄ねじ部２ｃの部分の内径が縮小する。
【００１４】
図２は本考案に係る着脱式手術用器具の一実施例を分解して示す図であり、本考案に係る着脱式手術用器具は、図１に示した手術器具用マルチホルダー１と手術器具１０との組合せからなり、該マルチホルダー１に任意の手術器具１０を着脱式に取り付けることができるようになっている。図２において側面図にて示された手術器具１０は、一例として外科用メスであり、作用部位であるメス刃１１と、長手状の操作部位であるロッド１２とを含む。ロッド（操作部位）１２の遠位端には取付部１３が設けられており、該取付部１３を介して替刃式のメス刃（作用部位）１１がロッド（操作部位）１２に着脱可能に取り付けられる。すなわち、取付部１３を介してロッド１２にメス１１を取り付けた状態において、手術器具１０は、メス刃（作用部位）１１と、該メス刃（作用部位）１１から延びた略直線状のロッド（操作部位）１２とを含むものとなる。
【００１５】
このようにロッド１２にメス刃１１を取り付けてなる手術器具１０をマルチホルダー１に取り付ける場合、把持部２の開口部２ａにセットされたナット３を緩めた状態として、そのロッド（操作部位）１２を、その他端側から、該把持部２の開口部２ａを介してその内部スペース２ｂ内に挿入し、把持部２の開口部２ａから外に延び出ているロッド（操作部位）１２の長さ（つまり手術器具１０の長さ）が所望の長さになるようにした上で、ナット３を締め付け方向に回す。これにより、前述のように、螺合が深まる方向にナット３が直進するにつれて、雄ねじ部２ｃの部分の内径が縮小し、この雄ねじ部２ｃの縮径した部分でロッド（操作部位）１２をその周囲から締め付けて固定する。こうして、手術器具１０のロッド（操作部位）１２を任意の長さ位置で把持部２に固定することができ、該把持部２から延びる手術器具１０のロッド（操作部位）１２の長さ、ひいては把持部２からメス刃（作用部位）１１までの長さ、を可変調整することができる。なお、本考案に係る手術器具用マルチホルダー１に手術器具１０を適用するにあたっては、把持部２の内部スペース２ｂの径方向サイズと手術器具１０のロッド（操作部位）１２の径方向サイズを適切な関係としておくものとするのは勿論である。一般的には、前者の径方向サイズよりも後者の径方向サイズを幾分小さくしておき、ナット３で締め付けたときに、雄ねじ部２ｃの縮径した部分でロッド１２をその周囲から締め付けて適切に固定できるように、部品設計がなされる。
【００１６】
以上から明らかなように、把持部２に設けられた雄ねじ部２ｃとそれに螺合するナット３の組合せは、把持部２において開口部２ａ寄りの箇所に設けられた固定手段として機能する。さらに詳しくは、この固定手段、すなわち、把持部２に設けられた雄ねじ部２ｃとそれに螺合するナット３の組合せは、手術器具１０の操作部位１２を把持部２の開口部２ａから内部スペース２ｂ内に挿入した状態で、該操作部位１２を該把持部２に固定するように構成され、かつ、異なる挿入位置で該操作部位１２を固定することにより該把持部２から延び出た前記手術器具１０の長さを調整し得るように構成されている。さらに詳しくは、この固定手段、すなわち、把持部２に設けられた雄ねじ部２ｃとそれに螺合するナット３の組合せは、把持部２の内部スペース２ｂ内に挿入された手術器具１０のロッド（操作部位）１２をその周囲から締め付けて固定する、ネジ式の締め付け手段として構成されている。このような雄ねじ部２ｃとナット３の組合せからなるネジ式の締め付け手段からなる固定手段は、手術器具１０のロッド（操作部位）１２をその周囲から締め付けるだけのシンプルな構成であるため、手術器具１０のロッド（操作部位）１２に対して特殊加工を施す必要がない、という利点をもつ。よって、本考案の手術器具用マルチホルダー１を既存の手術器具１０に容易に適用することができるようにするので、有利である。
【００１７】
上述した把持部２に設けられた雄ねじ部２ｃとそれに螺合するナット３の組合せは、把持部２に対する手術器具１０のロッド（操作部位）１２の固定位置を連続的に変更できるような構成である。すなわち、図示例のような把持部２に設けられた雄ねじ部２ｃとそれに螺合するナット３の組合せは、連続的に異なる挿入位置で手術器具１０のロッド（操作部位）１２を固定することにより把持部２から延び出た手術器具１０の長さを調整し得るように構成されている。しかし、本考案における固定手段は、そのように連続的な固定位置調整可能なものに限らず、段階的に固定位置調整可能なものであってもよい。すなわち、固定手段は、段階的に異なる挿入位置で手術器具１０のロッド（操作部位）１２を固定することにより把持部２から延び出た手術器具１０の長さを調整し得るように構成されていてもよい。すなわち、固定手段としては、上述したような雄ねじ部２ｃとナット３の組合せからなるネジ式の締め付け手段に限らず、その他の構造からなるものを適宜必要に応じて採用してよい。
【００１８】
図２に示すように、一例として、手術器具１０のロッド（操作部位）１２の側面に、長手方向に目盛り１２ａが設けられていてもよい。目盛り１２ａは、ロッド１２の表面を物理的に彫刻することによって形成されていてもよいし、あるいは印刷等によって形成されてもよい。このようにロッド（操作部位）１２の側面に目盛り１２ａを設けることにより、調整した長さ位置がどの程度であるかの目見当をつけ易い。なお、図２の例では、ロッド（操作部位）１２の全長のうち、概ね、把持部２の内部スペース２ｂ内に挿入され得る範囲において目盛り１２ａが設けられており、目盛り１２ａが設けられていない部分１２ｂは、取付部１３につながる接続部となっている。
【００１９】
図２において、手術器具１０のロッド（操作部位）１２の遠位端に設けられる取付部１３の構造は、前記固定手段として前記把持部２に設けられた雄ねじ部２ｃとそれに螺合するナット３との組合せからなる前記「ネジ式の締め付け手段」と同様の構造とすればよいので、詳しい図示及び説明は省略する。勿論、取付部１３の構造は、前記「ネジ式の締め付け手段」と同様の構造に限らず、その他の任意の着脱式取付構造を採用してもよい。
【００２０】
公知のように、替刃式のメス刃には種々のタイプのものが存在するので、取付部１３を介してロッド（操作部位）１２に取り付けるメス刃（作用部位）１１は、手術目的に応じて任意のタイプのメス刃をその都度取り付ければよい。また、本考案の手術器具用マルチホルダー１に適用する手術器具１０の種別は外科用メスに限らず、探索子、鈍針、剥離子など、任意のものであってよい。その場合、手術器具１０の作用部位（作用子）は、メス刃１１に代えて、使用目的に応じた構造のものとされる。
【００２１】
図３は、施術目的に応じて手術器具１０のロッド（操作部位）１２に取付けられる異なる種別の着脱式の作用部位のいくつかの例を概略的に示す側面図である。図３（ａ）は手術器具１０を探索子として機能させるための作用部位１４の一例を示し、（ｂ）は鈍針として機能させるための作用部位１５の一例を示し、（ｃ）は剥離子として機能させるための作用部位１６の一例を示す。いずれの例においても、取付部１３を介して各作用部位１４〜１６がロッド（操作部位）１２に着脱可能に取り付けられる。
【００２２】
図２の例では手術器具１０のロッド１２の全体が直線状であるが、これに限らず、ロッド１２の全長のうち、把持部２の内部スペース２ｂ内に挿入され得る範囲（目盛り１２ａが設けられる部分）が直線状であればよい。例えば、作用部位（１１、１４〜１６）の軸線と操作部位（１２）の軸線が平行に適宜オフセットしているタイプの手術器具（１０）が存在しており、そのようなタイプの手術器具（１０）にも本考案に係る手術器具用マルチホルダー１を適用することができる。そのために、例えば、図２に示された手術器具１０のロッド１２を、図４に示すように変形してよい。図４において、ロッド１２のうち、目盛り１２ａが設けられている部分（つまり、把持部２の内部スペース２ｂ内に挿入され得る部分）は図２に示されたものと同じであり、目盛り１２ａが設けられていない部分１２ｂ（つまり、取付部１３につながる接続部分、換言すれば、ロッド１２の遠位端側）がクランク状に屈曲している。図４に示すような遠位端側にクランク状の接続部分１２ｂを有するロッド１２を持つ手術器具１０にあっては、クランク状の接続部分１２ｂの存在によって、取付部１３に取り付けられた作用部位１１、１４〜１６の軸線と操作部位（把持部２に挿入されるロッド１２の直線部分）の軸線が平行に適宜オフセットされることになる。なお、ロッド１２の接続部分１２ｂの屈曲の仕方はクランク状に限らず、施術目的（用途）に応じて適宜に設計し得る。例えば、ロッド１２の接続部分１２ｂが適宜の角度で（鈍角で）幾分屈曲しているような形状であってもよい。
【００２３】
なお、取付部１３に取り付けられた作用部位１１、１４〜１６の軸線と操作部位（把持部２に挿入されるロッド１２の直線部分）の軸線を平行に適宜オフセットするための構造は、図４に示したようなものに限らない。例えば、ロッド１２は図２に示すように全体が直線状のものとし、作用部位１１、１４〜１６の近位端側の部分を略クランク状に適宜屈曲させてもよい。図５は、そのように、メス刃（作用部位）１１の近位端側の部分１１ａを略クランク状に屈曲させた例を示す。この場合も、メス刃１１（作用部位１４〜１６）の近位端側の部分１１ａの屈曲の仕方は略クランク状に限らず、施術目的（用途）に応じて適宜に設計し得る。例えば、この部分１１ａが適宜の角度で（鈍角で）幾分屈曲しているような形状であってもよい。
【００２４】
以上述べた実施例においては、手術器具１０の作用部位１１、１４〜１６とロッド（操作部位）１２は別体の部品からなり、取付部１３を介してロッド（操作部位）１２に作用部位１１、１４〜１６を着脱可能に構成している。しかし、これに限らず、本考案が適用可能な手術器具１０は、作用部位１１、１４〜１６とロッド（操作部位）１２が一体不可分に構成されたものからなっていてもよい。図６は、そのように、メス刃（作用部位）１１とロッド（操作部位）１２が一体不可分に構成された手術器具１０の一例を示している。例えば、同一の材質によってメス刃１１（作用部位１４〜１６）とロッド（操作部位）１２を一体的に形成して手術器具１０を構成してよい。あるいは、異なる材質によってメス刃１１（作用部位１４〜１６）とロッド（操作部位）１２を別々に形成し、しかる後、両者を固定的に接続することにより手術器具１０を構成してもよい。
【００２５】
なお、本考案を具現化するにあたって、手術器具用マルチホルダー１を有利に適用し得るように、手術器具用マルチホルダー１の設計に合わせて、手術器具１０を新規に設計する（若しくは既存の手術器具１０を設計し直す）ようにしてもよい。その場合は、新規設計された手術器具１０と本考案に係る手術器具用マルチホルダー１とを組み合わせることで、本考案に係る着脱式手術用器具が提供される。しかし、それに限らず、既存の１又は複数のタイプの手術器具１０に適合し得るように手術器具用マルチホルダー１を設計し製造してもよい。その場合は、既存の手術器具１０と本考案に係る手術器具用マルチホルダー１とを組み合わせることで、本考案に係る着脱式手術用器具が提供される。
【００２６】
なお、図２の例では、把持部２の近位端（図で右端）が閉じられているが、これに限らず、開放されていてもよい。その場合、把持部２の内部スペース２ｂは貫通空間となる。また、把持部２の外周面において、適宜の範囲で、滑り止め用の彫刻パターンあるいは凹凸パターンが形成されていてよい。同様に、ナット３の外周面においても滑り止め用の彫刻パターンあるいは凹凸パターンが形成されていてよい。さらに、同様のネジ式の締め付け手段として構成された取付部１３の外周面においても滑り止め用の彫刻パターンあるいは凹凸パターンが形成されていてよい。また、把持部２の外周断面形状は、円形に限らず、多角形その他であってもよく、要は、人の手で握り易い形状であればよい。
【００２７】
なお、手術器具用マルチホルダー１の把持部２は、長手方向に完全に直線状を成すものに限らず、適用する手術器具１０のロッド（操作部位）１２の形状に合わせるようにしてもよい。例えば、適用する手術器具１０のロッド（操作部位）１２が緩やかな弧を描くように幾分湾曲しているならば、手術器具用マルチホルダー１の把持部２も、それに合わせて、緩やかな弧を描くように幾分湾曲するものとされる。
【００２８】
上述した手術器具用マルチホルダー１によれば、長手状の手術器具１０の操作部位１２が、長手状の把持部２の内部スペース２ｂ内に挿入・収納される構造であるから、伸縮調整された操作部位１２の近位端側の部分が把持部２の内部スペース２ｂ内に収まり、把持部２を手で握った施術者の邪魔になることがない。また、手術器具１０の操作部位１２が伸縮する方向と把持部２の軸芯方向とが同一であるから、手術器具１０の作用部位（例えばメス刃１１）の延長線と把持部２の軸線とが一致する若しくは大きな角度をなさないような構造となる。そのような構造にあっては、把持部２を把持した手の略直線的延長上に手術器具１０の作用部位（例えばメス刃１１）が位置することになるので、把持部２を把持した手の動きに即応させて作用部位（例えばメス刃１１）を動かすことができる。したがって、本考案に係る手術器具用マルチホルダー１は、脳外科手術等精密な施術を要する人体部位のための手術器具１０に適用するのに適しており、従来はその種の手術器具１０において不可能であった長さ調整機能を、本考案によって実現することができる。
【符号の説明】
【００２９】
１  手術器具用マルチホルダー
２  把持部
２ａ  開口部
２ｂ  内部スペース
２ｃ  雄ねじ部
２ｄ  スリット
３  ナット（固定手段）
３ａ  雌ねじ部
１０  手術器具
１１  メス刃（作用部位）
１２  ロッド（操作部位）
１２ａ  目盛り
１２ｂ  接続部分
１３  取付部
１４  探索子
１５  鈍針
１６  剥離子
【図１】
0003229684.tif 000003
【図２】
0003229684.tif 000004
【図３】
0003229684.tif 000005
【図４】
0003229684.tif 000006
【図５】
0003229684.tif 000007
【図６】
0003229684.tif 000008